(57)【要約】【課題】音声通話をしながら相手側の携帯端末の設定を行うことができる携帯通信端末を提供する。【解決手段】操作側携帯電話機５０は設定側携帯電話機６０と音声通話を開始する。通話中に操作側ユーザが設定側携帯電話機６０に設定を行おうと入力キー５０３を操作すると、ＣＰＵ５１１はコマンドを作成し、分類種別情報を付加してＲＡＭ５０９に一時的に記録させる。操作側ユーザは、このコマンドに対応する機能を表示部５０４で確認し、設定側携帯電話機６０に送信するか否か判断する。操作側ユーザが「はい」を選択すると、ＣＰＵ５１１は設定側携帯電話機６０にコマンドをパケット送信する。ＣＰＵ６１１は受信したコマンドの設定を確認し、設定通りに設定側携帯電話機６０の設定変更を行う。設定が終了したら設定側携帯電話機６０から操作側携帯電話機５０に設定終了の通知をパケットで送信する。【選択図】      図１
2004229213.tif 000002
【特許請求の範囲】
【請求項１】
音声通信とデータ通信とを行う携帯通信端末であって、
通信相手の携帯通信端末の着信待受中または着信時の動作機能を設定指示する機能設定手段と、
前記機能設定手段によって設定指示された機能に対応したコマンドを生成するコマンド生成手段と、
音声通信中において、前記コマンドを送受信する通信手段と、
前記通信手段が受信した前記コマンドに基づいて前記機能を設定変更する機能設定変更手段と
を有する携帯通信端末。
【請求項２】
前記コマンド生成手段によって生成されたコマンドを、機能毎に分類して種別情報を付加するコマンド種別手段とを備え、
前記機能設定手段は、前記受信したコマンドの種別情報に基づいて前記機能を設定変更する
ことを特徴とする請求項１記載の携帯通信端末。
【請求項３】
前記コマンドまたは付加情報に基づいて前記機能を設定変更する際に、当該設定手順を順次表示する表示手段を備える
ことを特徴とする請求項１または２記載の携帯通信端末。
【請求項４】
前記通信手段によってコマンドを発信する際に、前記コマンドに対応した機能を表示する表示手段を有する請求項１記載の携帯通信端末。
【請求項５】
前記機能設定手段により前記機能を設定変更した際に、設定変更した結果を表示する表示手段を備える
ことを特徴とする請求項１または２記載の携帯通信端末。
【発明の詳細な説明】
【０００１】
【発明の属する技術分野】
本発明は、通話中に相手の携帯端末の機能を設定するための遠隔操作を行うことができる携帯端末に関する。
【０００２】
【従来の技術】
最近市場に出回っている携帯電話機は、多機能化に伴い操作が煩雑になっている。特に子どもや高齢者が携帯電話機を所有している場合、操作の煩雑さや不慣れから、着信音や電話帳登録などの各種機能設定を自分でできない人も多い。設定の得意な人が、設定ができない人と直接会うことができれば、その場で携帯電話機の設定を代行することができるが、設定の得意な人が、遠方から電話等で設定のできない人の手助けをする場合は、口頭で説明するしかない。しかしながら、設定の得意な人が設定のできない相手に電話等で説明しても、相手にとって操作が難しく、正確に設定できない可能性がある。
従来の技術では、携帯通信端末を遠隔より設定する際において、メール機能を利用し設定内容のデータをキャラクタにて送る手段が提案されている。キー入力された携帯通信端末の設定データをキャラクタデータとして、回線網を介して文字メッセージを送る。相手方の携帯通信端末がこの文字メッセージを受信し、その内容がデータ設定であることを検出すると、この文字メッセージに示されたデータ設定を実行する（例えば、特許文献１参照）。
【０００３】
【特許文献１】
特開２０００−１２５０２６号公報
【０００４】
【発明が解決しようとする課題】
特許文献１記載の技術では、一度設定内容をキャラクタに変換し、メール機能を利用して相手の携帯電話機に送るためにリアルタイムにて設定をすることができない。また、相手と通話しながら設定内容を決めたり確認を取ったりして同時に設定をできないために、送り側からの設定が希望と違っていてもそれを修正するのに改めて同じような作業をすることになり時間を要する場合がある。
この発明はこのような点に鑑みてなされたもので、音声通話をしながら相手側の携帯端末の設定を、相手側の手を煩わすことなく行うことができる携帯通信端末を提供することを目的としている。
【０００５】
【課題を解決するための手段】
上記した目的を達成するために、請求項１記載の携帯通信端末は、音声通信とデータ通信とを行う携帯通信端末であって、通信相手の携帯通信端末の着信待受中または着信時の動作機能を設定指示する機能設定手段と、前記機能設定手段によって設定指示された機能に対応したコマンドを生成するコマンド生成手段と、音声通信中において、前記コマンドを送受信する通信手段と、前記通信手段が受信した前記コマンドに基づいて前記機能を設定変更する機能設定変更手段とを有する。
【０００６】
請求項２記載の発明は、請求項１記載の携帯通信端末において、前記コマンド生成手段によって生成されたコマンドを、機能毎に分類して種別情報を付加するコマンド種別手段とを備え、前記機能設定手段は、前記受信したコマンドの種別情報に基づいて前記機能を設定変更することを特徴とする。
【０００７】
請求項３記載の発明は、請求項１または２記載の携帯通信端末において、前記コマンドまたは付加情報に基づいて前記機能を設定変更する際に、当該設定手順を順次表示する表示手段を備えることを特徴とする。
【０００８】
請求項４記載の発明は、請求項１記載の携帯通信端末において、前記通信手段によってコマンドを発信する際に、前記コマンドに対応した機能を表示する表示手段を有する。
【０００９】
請求項５記載の発明は、請求項１または２記載の携帯通信端末において、前記機能設定手段により前記機能を設定変更した際に、設定変更した結果を表示する表示手段を備えることを特徴とする。
【００１０】
【発明の実施の形態】
以下、図面を参照して本発明の実施の形態を説明する。
図１は、本発明の一実施形態に係る操作側携帯電話機５０または設定側携帯電話機６０の概略構成を示すブロック図である。５０１、６０１はアンテナ、５０２、６０２はＲＦユニット（発信手段、受信手段）、５０３、６０３は入力キー（機能入力手段）、５０４、６０４は表示部（提示手段）、５０５、６０５はＡＦ（音声回路）ユニット、５０６、６０６はスピーカ、５０７、６０７はマイク、５０８、６０８は携帯電話機５０、６０の設定データを記憶するＥＥＰＲＯＭ、５０９、６０９はデータ一時記憶用のＲＡＭ（ランダムアクセスメモリ）、５１０、６１０はＣＰＵの動作プログラムを記憶するＲＯＭ（リードオンリメモリ）、５１１、６１１はそれぞれ携帯電話機５０、６０全体の制御を行うＣＰＵ（コマンド生成手段、コマンド種別手段、機能設定変更手段）である。
操作側携帯電話機５０と設定側携帯電話機６０は異なった機種であってよい。なお、本実施例では同一機種とする。さらに双方の携帯電話機５０、６０はパケットデータ通信を行う機能を有している。
【００１１】
次に、上記構成の動作について図２を参照して説明する。操作側ユーザが操作側携帯電話機５０で設定側携帯電話機６０に発呼動作を行うと（ステップＳａ１）、設定側携帯電話機６０のＣＰＵ６１１は着信を受け（ステップＳｂ１）、操作側と通話を開始する。例えば、設定内容を確認するため、操作側ユーザが操作側携帯電話機５０のマイク５０７から「着信音量を大に設定にしますか。」と話しかけると、設定側ユーザは設定側携帯電話機６０で「はい、そうしてください。」などと回答する。この時、音声はデジタル化の上圧縮され、パケットに分割されて、ＶｏＩＰ（Ｖｏｉｃｅ  ｏｖｅｒ  ＩＰ）で送受信される。
【００１２】
通話中に操作側ユーザが、上記の会話を受けて設定側携帯電話機６０に「着信音量大」の設定を行おうと、操作側携帯電話機５０の入力キー５０３を操作すると（ステップＳａ３）、操作側携帯電話機５０のＣＰＵ５１１は「着信音量大」を設定するコマンドを作成し、ＲＡＭ５０９に一時的に記録させる（ステップＳａ５）。このときＣＰＵ５１１は、コマンドを音量機能やメール機能等、機能毎に分類するため、作成したコマンドに分類種別情報を付加する。
ＣＰＵ５１１は、このコマンドに対応する機能（本実施例では「着信音量大」）を表示部５０４に表示して操作側ユーザに確認させ、設定側携帯電話機６０にこの機能設定を送信するか否か判断させる（ステップＳａ７）。図３はそのときの操作側携帯電話機５０の表示例である。操作側ユーザが入力キー５０３で「はい」を選択すると、ＣＰＵ５１１はＲＦユニット５０２、アンテナ５０１を介して設定側携帯電話機６０に、ＲＡＭ５０９に記録した「着信音量大」のコマンドをパケットデータとして送信する（ステップＳａ９）。操作側ユーザが「いいえ」を選択するとステップＳａ３の処理に戻る。
【００１３】
設定側携帯電話機６０のＲＦユニット６０２が、アンテナ６０１を介して「着信音量大」のコマンドパケットを受信すると、ＣＰＵ６１１はそのコマンドの分類種別情報を読み取り、どの機能に関する設定コマンドなのか確認する（ステップＳｂ３）。そしてこのコマンドは、分類種別毎にＥＥＰＲＯＭ６０８に格納される（ステップＳｂ５）。次にＣＰＵ６１１は、受信したコマンドパケットの設定どおり、着信音量が大きくなるように設定側携帯電話機６０の設定変更を行う（ステップＳｂ７）（図４の表示例参照）。ＥＥＰＲＯＭ６０８に格納されたコマンドは、そのまま「着信音量大」のデータとして設定側携帯電話機６０を動作させる。設定終了後、ＣＰＵ６１１は操作側携帯電話機５０に設定終了の通知をパケットで送信し（ステップＳｂ９）、ＣＰＵ５１１は受信したその設定終了の通知を表示部５０４に表示させる（図５の表示例参照）。操作側携帯電話機５０で続いて設定を行うなら（ステップＳａ１１）、操作側ユーザは入力キー５０３で「続ける」を選択しステップＳａ３の処理に戻る。設定を終了するなら「終了」を選択し、入力キー５０３の終話キーを押下して機能設定の通信を終了する。
【００１４】
ここで、操作側ユーザが「この設定に不都合があれば連絡してください。」と話しかけて、設定側ユーザから「そうですね。解りました。」などと回答されれば一層の安心感が得られる。このとき音声は双方向ともデジタル化の上圧縮され、パケットにして送られる。
よって双方の携帯電話機は、コマンドを作成しそれをパケットデータ通信にて送る回路と、音声を圧縮してデータ通信にて送る回路が同時に作動している。
【００１５】
以上説明したように、本実施形態によれば、相手と通話しながら同時に相手の携帯電話機の設定ができるため、携帯電話の設定操作ができない人に代わって設定することができる。また、急に設定内容の変更があっても、すぐに対応できる。
【００１６】
以上、本発明の実施形態について図面を参照して詳述してきたが、具体的な構成はこの実施形態に限られるものではなく、本発明の要旨を逸脱しない範囲の設計変更等も含まれる。
【００１７】
例えば、上記実施形態ではパケット通信によってデータの送受信が行われたが、回線交換でもよい。この場合は、設定データを送る帯域と音声データを送る帯域を予め振り分けて接続される。例えば３２ｋｂｐｓの転送速度があるとすれば、音声をデジタル化してそれを圧縮して８ｋｂｐｓ（Ｇ．７２９）で送り、残り部分を設定データの送信に用いる。
【００１８】
また、設定側携帯電話機の機能設定メニューが階層構造に構成されている場合、操作側携帯電話機から受信した設定コマンドに基づいて、設定側携帯電話機の表示部に設定手順を順次表示（例えば、待受画面からメニュー画面を表示し、メニュー画面から着信音量設定が選択され、着信音量が大きくなる状況を順に表示）してもよい。このように、設定されていく手順を設定側携帯電話機の表示部に表示することによって、操作に不慣れな人も操作方法を覚えることができる。
また、音声通信中に必要な機能は通話音量程度しかないため、操作側携帯電話機からコマンドにて設定する機能は、主に着信待受中または着信時に携帯通信端末が動作する機能であって、階層化されたメニューなどにおいて設定が複雑である、例えば、画面表示、着信音量、着信音設定、留守番電話設定などの機能を設定するものである。これにより、ユーザは常に携帯している端末を通話後に快適に使用することができる。
【００１９】
また、上記実施形態における携帯電話機の代わりに、無線通信機能を備えた携帯型パーソナル・コンピュータ又はＰＤＡ（Ｐｅｒｓｏｎａｌ  Ｄｉｇｉｔａｌ  Ａｓｓｉｓｔａｎｃｅ）に本発明を適用してもよい。
【００２０】
【発明の効果】
以上の説明で明らかなように本発明によれば、音声通信とデータ通信とを行う携帯通信端末において、音声通信中に機能に対応したコマンドを送受信するので、音声通信中の相手端末に対し、通話をしながら同時に端末の設定をおこなうことができる。よって相手が携帯通信端末の機能設定ができず、かつ遠方にいる場合でも、相手の希望に沿いながらコマンドを送信することで端末の設定を行うことができ、設定されたユーザは常に快適な状態で端末を携帯することができる。また、相手から急に設定内容の変更があっても、すぐに対応して、相手の状況に応じた機能に設定変更してあげることができる（例えば、マナーモード設定など）。
また、コマンドを発信する際に機能を確認することができるので、間違いのない設定を行うことができる。
【図面の簡単な説明】
【図１】本発明の一実施形態に係る操作側携帯電話機５０または設定側携帯電話機６０の概略構成を示すブロック図である。
【図２】同実施形態における操作側携帯電話機５０および設定側携帯電話機６０の動作を示すフローチャートである。
【図３】同実施形態における操作側携帯電話機５０での設定データの確認画面の表示例である。
【図４】同実施形態における操作側携帯電話機５０での設定変更画面の表示例である。
【図５】同実施形態における操作側携帯電話機５０での設定終了画面の表示例である。
【符号の説明】
５０…操作側携帯電話機、６０…設定側携帯電話機、５０１、６０１…アンテナ、５０２、６０２…ＲＦユニット、５０３、６０３…入力キー、５０４、６０４…表示部、５０５、６０５…ＡＦユニット、５０６、６０６…スピーカ、５０７、６０７…マイク、５０８、６０８…ＥＥＰＲＯＭ、５０９、６０９…ＲＡＭ、５１０、６１０…ＲＯＭ、５１１、６１１…ＣＰＵ
【図１】
2004229213.tif 000003
【図２】
2004229213.tif 000004
【図３】
2004229213.tif 000005
【図４】
2004229213.tif 000006
【図５】
2004229213.tif 000007